(57)【要約】  本発明は、音声または画像通信を遂行するための、リモートコントロールと通信兼用ディジタル放送受信装置、リモートコントロールとディジタル放送受信装置を含むシステム、およびその方法に関する。
2010531558.tif 000002
【特許請求の範囲】
【請求項１】
有無線通信網を用いて音声または画像通話信号を受信し、コンテンツ提供部から提供されるディジタル放送のためのディジタルデータを受信して出力するシステムであって、
前記有無線通信網を用いて前記コンテンツ提供部から前記ディジタルデータを受信して伝達する中に前記音声または画像通話信号が受信された場合、受信機オーディオ出力パス（Ａｕｄｉｏ  Ｏｕｔｐｕｔ  Ｐａｔｈ）を外部オーディオ出力から受信機ローカル・エリア通信出力に切り換える通信兼用ディジタル放送受信装置と、
通話を要請する特定キーの信号入力がある場合、リモートコントロールオーディオ出力パスを外部オーディオ出力からリモートコントロール・ローカル・エリア通信出力に切り換え、前記ディジタル放送受信装置から前記音声または画像通話信号を受信した後、音声信号だけを出力するリモートコントロールと、
を含むことを特徴とする音声または画像通話を遂行するシステム。
【請求項２】
通信兼用ディジタル放送受信装置及びリモートコントロールを含み、有無線通信網を用いて音声または画像通話信号を受信し、コンテンツ提供部からディジタル放送のためのディジタルデータを受信して再生する方法であって、
（ａ）前記通信兼用ディジタル放送受信装置で前記音声または画像通話信号を受信するステップと、
（ｂ）前記リモートコントロールで通話を要請する特定キーの信号入力がある場合、リモートコントロールオーディオ出力パスを外部オーディオ出力からローカル・エリア通信出力に切り換えるステップと、
（ｃ）前記リモートコントロールから前記通信兼用ディジタル放送受信装置に通話要請信号を転送するステップと、
（ｄ）前記通信兼用ディジタル放送受信装置で前記コンテンツ提供部から前記ディジタルデータを受信して出力しているか否かを確認するステップと、
（ｅ）前記ステップ（ｄ）の確認結果、前記ディジタルデータを出力している場合、前記通信兼用ディジタル放送受信装置で受信機オーディオ出力パスを外部オーディオ出力から受信機ローカル・エリア通信出力に切り換えるステップと、
（ｆ）前記通信兼用ディジタル放送受信装置から前記音声または画像通話信号を前記リモートコントロールに転送するステップと、
（ｇ）前記リモートコントロールで前記音声または画像通話信号を受信した後、音声信号だけを出力するステップと、
を含むことを特徴とする音声または画像通話を遂行する方法。
【請求項３】
有無線通信網を用いて音声または画像通話信号を受信し、コンテンツ提供部から提供されるディジタル放送のためのディジタルデータを受信して出力する通信兼用ディジタル放送受信装置であって、
前記有無線通信網を経由して前記コンテンツ提供部から前記ディジタルデータを受信する有無線通信部と、
前記有無線通信網から前記音声または画像通話信号を受信した後、無線通信機能を処理する無線通信処理部と、
ローカル・エリア通信を用いてデータ通信を遂行する受信機ローカル・エリア通信部と、
赤外線を用いて信号の入力を受ける赤外線受信部と、
前記通信兼用ディジタル放送受信装置の全般的な機能を制御し、前記無線通信処理部から前記音声または画像通話信号を受信し、リモートコントロールから通話要請信号が受信されれば、前記有無線通信部を制御して前記ディジタルデータが受信されているか否かを確認し、確認結果、前記ディジタルデータが受信されている場合、受信機オーディオ出力パスを外部出力から受信機ローカル・エリア通信出力に切り換えるように制御する受信機制御部と、
を含むことを特徴とする音声または画像通話を遂行する通信兼用ディジタル放送受信装置。
【請求項４】
前記通信兼用ディジタル放送受信装置は、
前記ディジタルデータを復号（Ｄｅｃｏｄｉｎｇ）して画像信号及びオーディオ信号を生成する受信機復号部と、
前記画像信号及び前記オーディオ信号を出力する受信機出力部と、
を更に含むことを特徴とする請求項３に記載の音声または画像通話を遂行する通信兼用ディジタル放送受信装置。
【請求項５】
前記通信兼用ディジタル放送受信装置は、
前記ディジタルデータを格納する受信機格納部を更に含むことを特徴とする請求項３に記載の音声または画像通話を遂行する通信兼用ディジタル放送受信装置。
【請求項６】
前記受信機通信部は、
汎用直列バス（ＵＳＢ：Ｕｎｉｖｅｒｓａｌ  Ｓｅｒｉａｌ  Ｂｕｓ）、直列通信、超広帯域（ＵＷＢ：Ｕｌｔｒａ  Ｗｉｄｅ  Ｂａｎｄ）通信、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４、モバイルディスプレイディジタルインターフェース（ＭＤＤＩ：Ｍｏｂｉｌｅ  Ｄｉｓｐｌａｙ  Ｄｉｇｉｔａｌ  Ｉｎｔｅｒｆａｃｅ）、及びブルートゥース（Ｂｌｕｅｔｏｏｔｈ）のうち、１つ以上の方式を含むことを特徴とする請求項３に記載の音声または画像通話を遂行する通信兼用ディジタル放送受信装置。
【請求項７】
音声または画像通話信号を受信するリモートコントロールであって、
近距離通信を用いてデータ通信を遂行するリモートコントロール・ローカル・エリア通信部と、
赤外線を用いて信号を転送する赤外線送信部と、
通話を要請する特定キーの信号の入力を受けるリモートコントロール入力部と、
前記リモートコントロール入力部から前記特定キーの信号が入力される場合、リモートコントロールオーディオ出力パスを外部オーディオ出力からリモートコントロール・ローカル・エリア通信出力に切り換え、前記リモートコントロール・ローカル・エリア通信部を制御して通信兼用ディジタル放送受信装置から音声または画像通話信号を受信するように制御するリモートコントロール制御部と、
を含むことを特徴とする音声または画像通話を遂行するリモートコントロール。
【請求項８】
前記リモートコントロールは、
前記音声または画像通話信号を復号してオーディオ信号を生成するリモートコントロール復号部と、
アナログ音声データの入力を受けた後、ディジタル音声データに符号化するリモートコントロール符号化部と、
前記オーディオ信号を出力するリモートコントロールオーディオ出力部と、
前記アナログ音声データの入力を受けて伝達するリモートコントロールオーディオ入力部と、
を更に含むことを特徴とする請求項７に記載の音声または画像通話を遂行するリモートコントロール。
【請求項９】
前記リモートコントロールは、
汎用直列バス（ＵＳＢ：Ｕｎｉｖｅｒｓａｌ  Ｓｅｒｉａｌ  Ｂｕｓ）、直列通信、超広帯域（ＵＷＢ：Ｕｌｔｒａ  Ｗｉｄｅ  Ｂａｎｄ）通信、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４、モバイルディスプレイディジタルインターフェース（ＭＤＤＩ：Ｍｏｂｉｌｅ  Ｄｉｓｐｌａｙ  Ｄｉｇｉｔａｌ  Ｉｎｔｅｒｆａｃｅ）、及びブルートゥース（Ｂｌｕｅｔｏｏｔｈ）のうち、１つ以上の方式を含むことを特徴とする請求項７に記載の音声または画像通話を遂行するリモートコントロール。
【発明の詳細な説明】
【技術分野】
【０００１】
本発明は、音声または画像通話を遂行するリモートコントロールと通信兼用ディジタル放送受信装置及びそのための方法とシステムに関し、より詳しくは、ローカル・エリア通信部を用いて通信兼用ディジタル放送受信装置と連動するリモートコントロールにおいて、音声通話または画像通話を受信するための特定キーの信号の入力を受ける場合、リモートコントロールに搭載されたリモートコントロール・ローカル・エリア通信部と通信兼用ディジタル放送受信装置で搭載された受信機近距離通信部とを用いてオーディオ出力パスを外部オーディオ出力からローカル・エリア通信出力に同時に切り換えて音声及び画像通話を遂行するようにする音声または画像通話を遂行するリモートコントロールと通信兼用ディジタル放送受信装置及びそのための方法とシステムに関する。
【背景技術】
【０００２】
最近、電子通信技術が発展するにつれて、インターネット、衛星などからディジタル放送を受信してＴＶなどの画像及びオーディオ出力媒体を通じて放送番組を出力するセットトップボックス（Ｓｅｔ  Ｔｏｐ  Ｂｏｘ）などのディジタル放送受信装置が開発されて普及されている。
【０００３】
ディジタル放送受信装置は、通常的に一般ＴＶなどに一体型で開発されて普及されるか、別の受信機として購買されてＴＶなどに連結されて使われ、家庭で便利にビデオ・オン・ディマンド（ＶＯＤ：Ｖｉｄｅｏ  ｏｎ  Ｄｅｍａｎｄ）やリアルタイムディジタル放送を視聴できるようにしてくれる便利な装置である。
【０００４】
また、最近、電子通信技術が発展するにつれて、移動通信技術が普遍化されるによって、移動通信技術を用いて通話を遂行し、ディジタル放送を受信して再生するか、格納されたディジタルデータを再生できる通信兼用ディジタル放送受信装置が開発されて使われている趨勢である。
【０００５】
図１は、従来の通信兼用ディジタル放送受信システムを概略的に示すブロック構成図である。
【０００６】
従来のディジタル放送受信システムは、コンテンツ提供部１１０、有無線通信網１２０、及び通信兼用ディジタル放送受信装置１３０を含んで構成される。
【０００７】
コンテンツ提供部１１０は、放送番組をディジタルデータとして生成して有無線通信網１２０を用いて伝播する放送番組提供者のサーバなどであって、インターネット放送、ディジタルマルチメディア放送（ＤＭＢ：Ｄｉｇｉｔａｌ  Ｍｕｌｔｉｍｅｄｉａ  Ｂｒｏａｄｃａｓｔｉｎｇ）、ＩＰＴＶ（Ｉｎｔｅｒｎｅｔ  Ｐｒｏｔｏｃｏｌ  ＴＶ）放送などを提供する放送事業者のサーバまたは衛星などをいう。
【０００８】
有無線通信網１２０は、インターネット網、イントラネット網、移動通信網、衛星通信網など、多様な有無線通信技術を用いてインターネットプロトコルでデータを送受信できる網をいう。
【０００９】
通信兼用ディジタル放送受信装置１３０は、音声通話または画像通話機能が備えられており、かつディジタル放送を受信して再生するか、格納されたディジタルデータを再生できる装置である。例えば、通信兼用ディジタル放送受信装置１３０は、移動通信端末機、スマートフォン（Ｓｍａｒｔ  Ｐｈｏｎｅ）、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、及びＩＰＴＶ（Ｉｎｔｅｒｎｅｔ  Ｐｒｏｔｏｃｏｌ  Ｔｅｌｅｖｉｓｉｏｎｎ）セットトップボックス（Ｓｅｔ  Ｔｏｐ  Ｂｏｘ）などのうちの１つになることができる。
【００１０】
通信兼用ディジタル放送受信装置１３０は、有無線通信部１４０、受信機格納部１４２、受信機入力部１４４、受信機制御部１５０、受信機復号部１６０、受信機出力部１６２、及び無線通信処理部１７０を含んで構成される。
【００１１】
有無線通信部１４０は、有無線通信網１２０を用いてコンテンツ提供部１１０からディジタルデータを受信するための通信手段であり、受信機制御部１５０は、通信兼用ディジタル放送受信装置１３０の全般的な制御を遂行し、通信兼用ディジタル放送受信装置１３０内のデータ及び信号を制御する制御手段である。
【００１２】
受信機格納部１４２は、フラッシュメモリ、ハードディスクＣＤ−ＲＯＭ、ＤＶＤなど、データを格納するデータ格納手段であり、受信機入力部１４４は、キーボード、マウス、ジョイスチック、ゲームパッドなど、通信兼用ディジタル放送受信装置１３０を制御するための命令語またはデータの入力を受けるための有無線入力手段である。
【００１３】
受信機復号部１６０は、受信機制御部１５０が有無線通信部１４０を用いて受信したディジタルデータや受信機格納部１４２に格納されたディジタルデータを伝達すれば、復号（Ｄｅｃｏｄｉｎｇ）して画像信号及びオーディオ信号を生成する再生手段である。
【００１４】
受信機出力部１６２は、通信兼用ディジタル放送受信装置１３０内に備えられた画面またはスピーカを介して画像及びオーディオを出力するか、通信兼用ディジタル放送受信装置１３０が外部の画像／オーディオ出力装置と連結された場合には、画像信号及びオーディオ信号を画像／オーディオ出力装置に送信して、画像／オーディオ出力装置をして画像及びオーディオを出力するように制御する出力手段である。
【００１５】
無線通信処理部１７０は、音声信号をコーディングまたはデコーディングし、多重経路雑音除去のためにイコライザー機能を遂行し、音響データ処理機能などを遂行するディジタル信号処理機能、送受信される信号に対し、基底帯域の信号に変換し、ディジタル−アナログ変換及びアナログ−ディジタル変換処理などを遂行するベースバンド変換機能、ＲＦ（Ｒａｄｉｏ  Ｆｒｅｑｕｅｎｃｙ）信号を受信してＩＦ（Ｉｎｔｅｒｍｅｄｉａｔｅ  Ｆｒｅｑｕｅｎｃｙ）信号に変換し、ＩＦ信号をＲＦ信号に変化し、ＲＦ信号を復調及び増幅するＲＦ信号処理機能、空気中に無線信号を送受信するアンテナ機能などを遂行して無線通信を処理する無線通信処理手段である。
【００１６】
このような通信兼用ディジタル放送受信装置１３０内での動作過程は、後述する通りである。受信機入力部１４４を通じてユーザからリアルタイムディジタル放送の受信が選択されれば、有無線通信部１４０はコンテンツ提供部１１０からディジタルデータを受信して受信機制御部１５０に伝達し、受信機制御部１５０はディジタルデータを受信機復元部１６０に伝達し、受信機復元部１６０はディジタルデータを復元して画像信号及びオーディオ信号を生成し、受信機出力部１６２を通じて画像及びオーディオを出力する。
【００１７】
また、受信機入力部１４４を通じてユーザからビデオ・オン・ディマンドの視聴が選択されてユーザが視聴しようとするコンテンツが選択されれば、有無線通信部１４０はコンテンツ提供部１１０からディジタルデータを受信して受信機制御部１５０に伝達し、受信機制御部１５０はディジタルデータを受信機格納部１４２に格納し、また受信機格納部１４２に格納されたディジタルデータを受信機復号部１６０に伝達し、受信機復号部１６０はディジタルデータを復元して画像信号及びオーディオ信号を生成し、受信機出力部１６２を通じて画像及びオーディオを出力する。
【００１８】
また、受信機制御部１５０は、受信機入力部１４４または無線通信処理部１７０から入力される信号に従い音声及び画像通話を遂行するための基本機能を遂行する。
【００１９】
しかしながら、従来の通信兼用ディジタル放送受信装置１３０は、ＴＶと連結してディジタル放送を受信して再生するか、格納されたディジタルデータを再生する途中に音声または画像通話が要請される場合、連結されたＴＶのスピーカを介してのみ音声または画像通話を遂行しなければならないという問題点がある。
【００２０】
即ち、ディジタル放送を視聴する途中に多数の人と音声または画像通話が要請される場合、ユーザは個人的な通話ができなくなって、通話に多くの不便さを感じるようになり、このため、そのような不都合を解決するために、この技術開発が要求される実状である。
【発明の概要】
【発明が解決しようとする課題】
【００２１】
前述した問題点を解決するために、本発明は、ローカル・エリア通信部を用いて通信兼用ディジタル放送受信装置と連動するリモートコントロールにおいて、音声通話または画像通話を受信するための特定キーの信号の入力を受ける場合、リモートコントロールに搭載されたリモートコントロール・ローカル・エリア通信部と、通信兼用ディジタル放送受信装置で搭載された受信機ローカル・エリア通信部とを用いて、オーディオ出力パスを外部オーディオ出力からローカル・エリア通信出力に同時に切り換えて音声及び画像通話を遂行するようにする音声または画像通話を遂行するリモートコントロールと通信兼用ディジタル放送受信装置及びそのための方法とシステムを提供することをその目的とする。
【課題を解決するための手段】
【００２２】
前述した目的を達成するために、本発明は、有無線通信網を用いて音声または画像通話信号を受信し、コンテンツ提供部から提供されるディジタル放送のためのディジタルデータを受信して出力するシステムであって、上記有無線通信網を用いて上記コンテンツ提供部から上記ディジタルデータを受信して伝達する中に上記音声または画像通話信号が受信された場合、受信機オーディオ出力パス（Ａｕｄｉｏ  Ｏｕｔｐｕｔ  Ｐａｔｈ）を外部オーディオ出力から受信機ローカル・エリア通信出力に切り換える通信兼用ディジタル放送受信装置と、通話を要請する特定キーの信号入力がある場合、リモートコントロールオーディオ出力パスを外部オーディオ出力からリモートコントロール・ローカル・エリア通信出力に切り換え、上記ディジタル放送受信装置から上記音声または画像通話信号を受信した後、音声信号だけを出力するリモートコントロールと、を含むことを特徴とする音声または画像通話を遂行するシステムを提供する。
【００２３】
また、本発明の他の目的によれば、通信兼用ディジタル放送受信装置及びリモートコントロールを含み、有無線通信網を用いて音声または画像通話信号を受信し、コンテンツ提供部からディジタル放送のためのディジタルデータを受信して再生する方法であって、（ａ）上記通信兼用ディジタル放送受信装置で上記音声または画像通話信号を受信するステップと、（ｂ）上記リモートコントロールで通話を要請する特定キーの信号入力がある場合、リモートコントロールオーディオ出力パスを外部オーディオ出力からローカル・エリア通信出力に切り換えるステップと、（ｃ）上記リモートコントロールから上記通信兼用ディジタル放送受信装置に通話要請信号を転送するステップと、（ｄ）上記通信兼用ディジタル放送受信装置で上記コンテンツ提供部から上記ディジタルデータを受信して出力しているか否かを確認するステップと、（ｅ）上記ステップ（ｄ）の確認結果、上記ディジタルデータを出力している場合、上記通信兼用ディジタル放送受信装置で受信機オーディオ出力パスを外部オーディオ出力から受信機ローカル・エリア通信出力に切り換えるステップと、（ｆ）上記通信兼用ディジタル放送受信装置から上記音声または画像通話信号を上記リモートコントロールへ転送するステップと、（ｇ）上記リモートコントロールで上記音声または画像通話信号を受信した後、音声信号だけを出力するステップと、を含むことを特徴とする音声または画像通話を遂行する方法を提供する。
【００２４】
また、本発明の他の目的によれば、有無線通信網を用いて音声または画像通話信号を受信し、コンテンツ提供部から提供されるディジタル放送のためのディジタルデータを受信して出力する通信兼用ディジタル放送受信装置であって、上記有無線通信網を経由して上記コンテンツ提供部から上記ディジタルデータを受信する有無線通信部と、上記有無線通信網から上記音声または画像通話信号を受信した後、無線通信機能を処理する無線通信処理部と、ローカル・エリア通信を用いてデータ通信を遂行する受信機ローカル・エリア通信部と、赤外線を用いて信号の入力を受ける赤外線受信部と、上記通信兼用ディジタル放送受信装置の全般的な機能を制御し、上記無線通信処理部から上記音声または画像通話信号を受信し、リモートコントロールから通話要請信号が受信されれば、上記有無線通信部を制御して上記ディジタルデータが受信されているか否かを確認し、確認結果、上記ディジタルデータが受信されている場合、受信機オーディオ出力パスを外部出力から受信機ローカル・エリア通信出力に切り換えるように制御する受信機制御部と、を含むことを特徴とする音声または画像通話を遂行する通信兼用ディジタル放送受信装置を提供する。
【００２５】
また、本発明の他の目的によれば、音声または画像通話信号を受信するリモートコントロールであって、ローカル・エリア通信を用いてデータ通信を遂行するリモートコントロール・ローカル・エリア通信部と、赤外線を用いて信号を転送する赤外線送信部と、通話を要請する特定キーの信号の入力を受けるリモートコントロール入力部と、上記リモートコントロール入力部から上記特定キーの信号が入力される場合、リモートコントロールオーディオ出力パスを外部オーディオ出力からリモートコントロール・ローカル・エリア通信出力に切り換え、上記リモートコントロール・ローカル・エリア通信部を制御して通信兼用ディジタル放送受信装置から音声または画像通話信号を受信するように制御するリモートコントロール制御部と、を含むことを特徴とする音声または画像通話を遂行するリモートコントロールを提供する。
【発明の効果】
【００２６】
本発明によれば、ローカル・エリア通信部を用いて通信兼用ディジタル放送受信装置と連動するリモートコントロールにおいて、音声通話または画像通話を受信するための特定キーの信号の入力を受ける場合、リモートコントロールに搭載されたリモートコントロール・ローカル・エリア通信部と通信兼用ディジタル放送受信装置で搭載された受信機ローカル・エリア通信部とを用いて、オーディオ出力パスを外部オーディオ出力からローカル・エリア通信出力に同時に切り換えて、音声及び画像通話を遂行するようにする音声または画像通話を遂行することができる効果がある。
【００２７】
また、リモートコントロールで音声または画像通話を受信する場合、リモートコントロールのリモートコントロールオーディオ出力パスを外部オーディオ出力からリモートコントロール・ローカル・エリア通信出力に切り換え、通信兼用ディジタル放送受信装置の受信機オーディオ出力パスを外部オーディオ出力から受信機ローカル・エリア通信出力に同時に切り換えることで、リモートコントロールまたは通信兼用ディジタル放送受信装置のうちの１つのローカル・エリア通信モジュールが続けて動作して電源（バッテリー）が続けて消耗されることを防止できる効果がある。
【００２８】
また、ユーザの立場では、通信兼用ディジタル放送受信装置によりディジタル放送を視聴している中に受信される音声または画像通話をリモートコントロールで受信する場合、リモートコントロールに別途の追加ボタンを操作する必要無しでリモートコントロールに備えられた通話を要請するための特定キーだけで音声及び画像通話を遂行することができる効果がある。
【図面の簡単な説明】
【００２９】
【図１】従来の通信兼用ディジタル放送受信システムを概略的に示すブロック構成図である。
【図２】本発明の好ましい実施形態に従う音声または画像通話を遂行するリモートコントロールを概略的に示すブロック構成図である。
【図３】本発明の好ましい実施形態に従う音声または画像通話を遂行するリモートコントロールの動作方法を説明するためのフローチャートである。
【発明を実施するための形態】
【００３０】
以下、本発明の好ましい実施形態を添付された図面を参照しつつ詳細に説明する。まず、各図面の構成要素に参照符号を付加するに当たって、同一な構成要素に対してはたとえ他の図面上に表示されても、できる限り同一な符号を有するようにしていることに留意しなければならない。また、本発明を説明するに当たって、関連した公知構成または機能に対する具体的な説明が本発明の要旨を曖昧にすることができると判断される場合には、その詳細な説明は省略する。
【００３１】
図２は、本発明の好ましい実施形態に従う音声または画像通話を遂行するリモートコントロールを概略的に示すブロック構成図である。
【００３２】
本発明の好ましい実施形態に従う好ましい実施形態に従う音声または画像通話を遂行するリモートコントロールシステムは、コンテンツ提供部１１０、有無線通信網１２０、通信兼用ディジタル放送受信装置１３０、及びリモートコントロール２００を含む。
【００３３】
ここで、コンテンツ提供部１１０と有無線通信網１２０は、図１を通じて前述したので、それに対する詳細な説明は省略する。
【００３４】
通信兼用ディジタル放送受信装置１３０は、音声通話または画像通話機能が備えられており、かつディジタル放送を受信して再生するか、格納されたディジタルデータを再生できる装置である。例えば、通信兼用ディジタル放送受信装置１３０は、移動通信端末機、スマートフォン（Ｓｍａｒｔ  Ｐｈｏｎｅ）、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、及びＩＰＴＶ（Ｉｎｔｅｒｎｅｔ  Ｐｒｏｔｏｃｏｌ  Ｔｅｌｅｖｉｓｉｏｎｎ）セットトップボックス（Ｓｅｔ  Ｔｏｐ  Ｂｏｘ）などのうちの１つになることができるが、本発明では説明の便宜上、通信兼用ディジタル放送受信装置１３０を独立的に製作されてＴＶと連結されることによって、ディジタル放送を受信するＩＰＴＶセットトップボックス（Ｓｅｔ  ｔｏｐ  Ｂｏｘ）と仮定して説明する。
【００３５】
本発明の好ましい実施形態に従う通信兼用ディジタル放送受信装置１３０は、有無線通信部１４０、受信機格納部１４２、受信機入力部１４４、受信機制御部１５０、受信機復元部１６０、受信機出力部１６２、無線通信処理部１７０、受信機近距離通信部１８０、及び赤外線受信部１８２を含んで構成される。
【００３６】
ここで、有無線通信部１４０、受信機格納部１４２、受信機入力部１４４、受信機復元部１６０、受信機出力部１６２、及び無線通信処理部１７０は、図１を通じて前述したことと同一または類似しているので、それに対する詳細な説明は省略する。
【００３７】
本発明の好ましい実施形態に従う受信機制御部１５０は、図１を通じて前述したことと同一な機能を遂行するだけでなく、無線通信処理部１７０から音声または画像通話信号を受信する機能を遂行する。
【００３８】
受信機制御部１５０は、赤外線受信部１８２でリモートコントロール２００から通話要請信号が入力される場合、有無線通信部１４０及び受信機復元部１６０を制御してディジタルデータが受信されて出力されているか否かを確認する。
【００３９】
確認結果、ディジタルデータが出力されている場合、受信機制御部１５０は受信機オーディオ出力パス（Ａｕｄｉｏ  Ｏｕｔｐｕｔ  Ｐａｔｈ）を外部オーディオ出力から受信機近距離通信出力に切り換え、受信機近距離通信部１８０を制御して音声または画像通話信号を転送するようにする機能を遂行する。
【００４０】
受信機ローカル・エリア通信部１８０は、リモートコントロール２００のリモートコントロール・ローカル・エリア通信部２１０とデータ通信を遂行することによって、通信兼用ディジタル放送受信装置１３０とリモートコントロール２００との間を連結する通信手段であって、汎用直列バス（ＵＳＢ：Ｕｎｉｖｅｒｓａｌ  Ｓｅｒｉａｌ  Ｂｕｓ）、直列通信、超広帯域（ＵＷＢ：Ｕｌｔｒａ  Ｗｉｄｅ  Ｂａｎｄ）通信、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４、モバイルディスプレイディジタルインターフェース（ＭＤＤＩ：Ｍｏｂｉｌｅ  Ｄｉｓｐｌａｙ  Ｄｉｇｉｔａｌ  Ｉｎｔｅｒｆａｃｅ）、ブルートゥース（Ｂｌｕｅｔｏｏｔｈ）などの方式により通信を遂行することができ、有線または無線の通信を包括する概念である。
【００４１】
赤外線受信部１８２は、リモートコントロール２００の赤外線送信部２１２から赤外線の入力を受けることにより、通信兼用ディジタル放送受信装置１３０とリモートコントロール２００との間を連結する通信手段であって、赤外線通信規格（ＩｒＤＡ：Ｉｎｆｒａｒｅｄ  Ｄａｔａ  Ａｓｓｏｃｉａｔｉｏｎ）方式が用いられる。
【００４２】
本発明の好ましい実施形態に従うリモートコントロール２００は、リモートコントロール・ローカル・エリア通信部２１０、赤外線送信部２１２、リモートコントロール入力部２２０、リモートコントロール制御部２３０、リモートコントロール復元部２４０、リモートコントロール圧縮部２４２、リモートコントロールオーディオ出力部２５０、及びリモートコントロールオーディオ入力部２５２を含んで構成される。
【００４３】
リモートコントロール・ローカル・エリア通信部２１０は、通信兼用ディジタル放送受信装置１３０の受信機ローカル・エリア通信部１８０とデータ通信を遂行することによって、リモートコントロール２００と通信兼用ディジタル放送受信装置１３０との間を連結して、受信機ローカル・エリア通信部１８０からディジタルデータを受信して伝達する通信手段であって、前述した受信機ローカル・エリア通信部１８０のような有線または無線の通信を包括する概念である。
【００４４】
赤外線送信部２１２は、リモートコントロール入力部２２０から入力されたデータを赤外線に変換して通信兼用ディジタル放送受信装置１３０の赤外線受信部１８２に転送することによって、通信兼用ディジタル放送受信装置１３０とリモートコントロール２００との間を連結する通信手段である。
【００４５】
リモートコントロール入力部２２０は、ユーザからリモートコントロール２００を制御するための命令語またはデータの入力を受けるための入力手段であって、キーパッドだけでなく、タッチスクリーン、ＵＳＢシリアル通信を通じて外部の装置から命令語またはデータの入力を受ける入力手段を包括する概念である。
【００４６】
リモートコントロール制御部２３０は、リモートコントロール２００の全般的な動作を制御し、リモートコントロール２００のデータ及び信号を制御する制御手段である。
【００４７】
リモートコントロール復号部２４０は、リモートコントロール制御部２３０から音声または画像通話のためのディジタルデータの伝達を受けた後、復号してオーディオ信号に生成する再生手段である。
【００４８】
リモートコントロール符号化部２４２は、リモートコントロールオーディオ入力部２５２から受信したディジタルデータを圧縮してリモートコントロール制御部２３０に転送する機能を遂行する。
【００４９】
リモートコントロールオーディオ出力部２５０はリモートコントロール２００のオーディオ出力手段であって、リモートコントロール復号部２４０から伝えられたオーディオ信号をアナログに変化して備えるスピーカを介して出力する機能を遂行する。
【００５０】
リモートコントロールオーディオ入力部２５２は、ユーザの音声の入力を受けた後、アナログ音声データをディジタル音声データに変換してリモートコントロール符号化部２４２に転送する機能を遂行する。
【００５１】
図３は、本発明の好ましい実施形態に従う音声または画像通話を遂行するリモートコントロールの動作方法を説明するためのフローチャートである。
【００５２】
通信兼用ディジタル放送受信装置１３０の無線通信処理部１７０は、有無線通信網１２０から音声または画像通話信号を受信して受信機制御部１５０に転送する（Ｓ３１０）。
【００５３】
リモートコントロール２００のリモートコントロール制御部２３０は、通信兼用ディジタル放送受信装置１３０の音声または画像通話信号を受信するために、リモートコントロール入力部２２０から通話を遂行するための特定キーの信号の入力を受ける（Ｓ３２０）。
【００５４】
リモートコントロール２００のリモートコントロール制御部２３０は、赤外線送信部２１２を制御して通信兼用ディジタル放送受信装置１３０の赤外線受信部１８２に音声または画像通話を要請する通話要請信号を転送する（Ｓ３３０）。
【００５５】
通信兼用ディジタル放送受信装置１３０の受信機制御部１５０は、受信機オーディオ出力パス（Ａｕｄｉｏ  Ｏｕｔｐｕｔ  Ｐａｔｈ）を外部オーディオ出力から受信機ローカル・エリア通信出力に切り換える（Ｓ３４０）。
【００５６】
即ち、通信兼用ディジタル放送受信装置１３０の受信機制御部１５０は、電源供給回路（図示せず）を制御して受信機ローカル・エリア通信部１８０に電源を印加するものである。
【００５７】
リモートコントロール２００のリモートコントロールの制御部２３０は、リモートコントロールオーディオ出力パス（Ａｕｄｉｏ  Ｏｕｔｐｕｔ  Ｐａｔｈ）を外部オーディオ出力からリモートコントロール・ローカル・エリア通信出力に切り換える（Ｓ３５０）。
【００５８】
即ち、リモートコントロール２００のリモートコントロール制御部２３０は、電源供給回路（図示せず）を制御して、リモートコントロール・ローカル・エリア通信部２１０、リモートコントロール復号部２４０、リモートコントロール符号化部２４２、リモートコントロールオーディオ出力部２５０、及びリモートコントロールオーディオ入力部２５２の全部または一部に電源を印加するものである。
【００５９】
通信兼用ディジタル放送受信装置１３０の受信機制御部１５０は、赤外線受信部１８２から通話要請信号を受信した場合、受信機ローカル・エリア通信部１８０を制御して、リモートコントロール２００のリモートコントロール・ローカル・エリア通信部２１０は、相互間の通信を準備する（Ｓ３６０）。
【００６０】
リモートコントロール２００のリモートコントロール制御部２３０は、リモートコントロール・ローカル・エリア通信部２１０を制御して通信兼用ディジタル放送受信装置１３０の受信機ローカル・エリア通信部１８０から音声または画像通話信号を受信した後、リモートコントロールオーディオ出力部２５０に音声信号だけを出力し、リモートコントロールオーディオ入力部２５２からユーザのアナログ音声データの入力を受けた後、ディジタル音声データに変換し、リモートコントロール符号化部２４２を用いてディジタル音声データを符号化した後、通信兼用ディジタル放送受信装置１３０へ転送する（Ｓ３７０）。
【００６１】
即ち、リモートコントロール２００のリモートコントロール制御部２３０は、通話が遂行されれば、リモートコントロール・ローカル・エリア通信部２１０からオーディオデータを受信して、これをリモートコントロール復号部２４０へ転送すれば、リモートコントロール復号部２４０はオーディオ信号を再生し、リモートコントロールオーディオ出力部２５０はオーディオ信号を出力するものであり、リモートコントロールオーディオ入力部２５２は、ユーザの音声の入力を受けた後、リモートコントロール符号化部２４２を通じてディジタルデータに符号化したリモートコントロール制御部２３０へ転送し、リモートコントロール制御部２３０は、リモートコントロール・ローカル・エリア通信部２１０を制御して通信兼用ディジタル放送受信装置１３０の受信機ローカル・エリア通信部１８０にディジタルデータを転送するものである。
【００６２】
以上の説明は、本発明の技術思想を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術思想を限定するためのものではなく、説明するためのものであり、このような実施形態により本発明の技術思想の範囲が限定されるのではない。本発明の保護範囲は請求範囲により解釈されなければならず、それと同等な範囲内にある全ての技術思想は本発明の権利範囲に含まれるものと解釈されるべきである。
【図１】
2010531558.tif 000003
【図２】
2010531558.tif 000004
【図３】
2010531558.tif 000005
【国際調査報告】
2010531558.tif 000006
2010531558.tif 000007